(57)【要約】【課題】清潔で臭いもれのしにくい、より安全性の高い生ごみ処理機を提供することを目的とする。【解決手段】厨芥を収納する収納部１を有する本体３と、前記本体３に対して回動自在に前記本体３に設けた蓋２と、前記収納部１内の空気を前記収納部１外へ排出する排気通路とを備え、前記蓋２の回動支持部分に前記排気通路の一部を配設したもので、排気通路からの結露水の滴下、臭いもれ、排気通路への異物侵入防止ができ、清潔で臭いもれのしにくいより安全性の高い生ごみ処理機を提供することができる。【選択図】  図１
2004283649.tif 000002
【特許請求の範囲】
【請求項１】
厨芥を収納する収納部を有する本体と、前記本体に対して回動自在に前記本体に設けた蓋と、前記収納部内の空気を前記収納部外へ排出する排気通路とを備え、前記蓋の回動支持部分に前記排気通路の一部を配設した生ごみ処理機。
【請求項２】
排気通路を回動軸として、蓋が回動する請求項１記載の生ごみ処理機。
【請求項３】
蓋に設けた排気通路の、本体に設けた排気通路との連結部を、鉛直方向に略Ｒ形状に形成した請求項１または２記載の生ごみ処理機。
【請求項４】
蓋に設けた排気通路の、本体に設けた排気通路との連結部を、鉛直方向に略Ｔ形状に形成した請求項１または２記載の生ごみ処理機。
【請求項５】
蓋には、回動軸が分離して対向する位置に設けられてなるとともに、前記両回動軸をともに固定する部材を設けた請求項２〜４のいずれか１項に記載の生ごみ処理機。
【請求項６】
部材に当接する回動軸の少なくとも一部を平面状にした請求項５記載の生ごみ処理機。
【発明の詳細な説明】
【０００１】
【発明の属する技術分野】
本発明は、生ごみ処理機の機構構成に関するものである。
【０００２】
【従来の技術】
従来の生ごみ処理機の構成を図６、図７を用いて説明する。
【０００３】
１０１は乾燥減量したい生ごみを投入する収納部で、生ごみは蓋１０２を開けて投入される。収納部１０１の上部には収納部１内の温度を検出する温度検出手段である乾燥センサ（図示せず）の出力で、収納部１０１内の温度を所定温度になるように温度調整を行う乾燥ヒータ（図示せず）、送風手段である乾燥ファン（図示せず）が設けてあり、乾燥ヒータによって加熱された空気が、乾燥ファンにより温風となって、収納部１０１内の生ごみに向けて送り込まれる。収納部１０１内で発生した水蒸気は本体１０３に備えられた排気ファン（図示せず）により機体外部に排出される。なお、１０４はこの本体１０３に備えられた排気通路Ａ１０４であり入口には吸気口１０５が設けられ、また排気通路Ａ１０４の途中には、排出水蒸気の脱臭を行うための酸化触媒（図示せず）が設けられている。また、１０６は蓋１０２に設けられた収納部１０１内に発生した水蒸気を排出する排気通路Ｂ１０６であり、運転中に収納部１０１内で発生した水蒸気は排気通路Ｂ１０６を通過し、吸気口から排気通路Ｂ１０６を通り、酸化触媒を通過し機体外部に排出されることになる。
【０００４】
また、蓋２の開時には排気通路Ａ１０４と排気通路Ｂ１０６は連通しない構成になっており、蓋１０２の閉時にはパッキン１０７によりタイトされ排気通路Ａ１０４と排気通路Ｂ１０６を連通するようになっている（例えば、特許文献１参照）。
【０００５】
【特許文献１】
特開平１０−３４１１１号公報
【０００６】
【発明が解決しようとする課題】
しかしながら前記従来の生ごみ処理機において、蓋開時に排出が分断されてしまうので、処理後蓋の排気通路Ｂ１０６内に結露した水滴が本体上面１０８に滴下して本体を汚してしまう、また蓋閉時は排気通路Ｂ１０６と排気通路Ａ１０４がパッキン１０７によりタイトされているため、ごみなどがパッキン１０７に挟まれると運転中生ごみから発生する蒸気がもれる可能性があるという課題を有していた。
【０００７】
また、不意なことで蓋開時に吸気口１０５からごみが入ったり、大量の液体が入ったりしてしまうと本体内部の部品に悪影響を与えてしまうという可能性も有していた。
【０００８】
本発明は上記課題を解決するもので、清潔で臭いもれのしにくい、より安全性の高い生ごみ処理機を提供することを目的とする。
【０００９】
【課題を解決するための手段】
前記従来の課題を解決するために本発明は、厨芥を収納する収納部を有する本体と、前記本体に対して回動自在に前記本体に設けた蓋と、前記収納部内の空気を前記収納部外へ排出する排気通路とを備え、前記蓋の回動支持部分に前記排気通路の一部を配設したもので、蓋開時でも排気通路を連通することができ、排気通路からの結露水の滴下、臭いもれ、排気通路への異物侵入防止ができ、清潔で臭いもれのしにくいより安全性の高い生ごみ処理機を提供することができる。
【００１０】
【発明の実施の形態】
請求項１記載の発明は、厨芥を収納する収納部を有する本体と、前記本体に対して回動自在に前記本体に設けた蓋と、前記収納部内の空気を前記収納部外へ排出する排気通路とを備え、前記蓋の回動支持部分に前記排気通路の一部を配設したもので、蓋開時でも排気通路を連通することができ、排気通路からの結露水の滴下、臭いもれ、排気通路への異物侵入防止ができ、清潔で臭いもれのしにくいより安全性の高い生ごみ処理機を提供することができる。
【００１１】
請求項２記載の発明は、排気通路を回動軸として、蓋が回動するもので、蓋開時でも排気通路を連通することができ、排気通路からの結露水の滴下、臭いもれ、排気通路への異物侵入防止ができ、清潔で臭いもれのしにくいより安全性の高い生ごみ処理機を提供することができる。
【００１２】
請求項３記載の発明は、蓋に設けた排気通路の、本体に設けた排気通路との連結部を、鉛直方向に略Ｒ形状に形成したもので、排気通路に鉛直方向への略Ｒ形状を設けることにより、生ごみから発生した蒸気が排気通路内で結露し、結露水になったとき、排気通路内に結露水が溜まることなく、多量の結露水が排気通路途中に設けられた酸化触媒に流れ込み急に冷却されることなく、酸化触媒内のヒータが断線しにくいことより、故障の少ない信頼性の高い生ごみ処理機を提供することができる。
【００１３】
請求項４記載の発明は、蓋に設けた排気通路の、本体に設けた排気通路との連結部を、鉛直方向に略Ｔ形状に形成したもので、排気通路を直線に保持するようにしたことで、より回動軸を正確に直線に保持することができ、回動軸のずれが生じない蓋の回動がスムースにおこなうことができる生ごみ処理機を提供することができる。
【００１４】
請求項５記載の発明は、蓋には、回動軸が分離して対向する位置に設けられてなるとともに、前記両回動軸をともに固定する部材を設けたもので、蓋の回動軸の同軸度を出すことができ、蓋の回動がスムースにおこなうことができる生ごみ処理機を提供することができる。
【００１５】
請求項６記載の発明は、部材に当接する回動軸の少なくとも一部を平面状にしたもので、部材に回動軸を固定し易くなり、より精度の高い位置決めができ、回動軸のずれが生じない蓋の回動がスムースにおこなうことができる生ごみ処理機を提供することができる。
【００１６】
【実施例】
以下、本発明の一実施例を、図１〜図５を用いて説明する。
【００１７】
１は乾燥減量したい生ごみを投入する収納部で、生ごみは蓋２を開けて投入される。前記蓋２は前記収納部１の上方開口部を覆うよう構成されている。収納部１の上部には収納部１内の温度を検出する温度検出手段である乾燥センサ（図示せず）の出力で、収納部１内の温度を所定温度になるように温度調整を行う乾燥ヒータ（図示せず）、送風手段である乾燥ファン（図示せず）が設けてあり、乾燥ヒータによって加熱された空気が、乾燥ファンにより温風となって、収納部１内の生ごみに向けて送り込まれる。収納部１内で発生した空気（水蒸気）は本体３に備えられた排気ファン（図示せず）により収納部１の外（機体外部）に排出される。排気通路途中には、排出水蒸気の脱臭を行うための酸化触媒（図示せず）が設けられている。
【００１８】
図２は蓋回動部の構成図で、排気通路４は蓋２の回動軸の役割をなすよう、蓋２の回動支点５で回動自在に回動できるよう連結されている。蓋２の開閉も自在にでき、蓋２開時でも、前記蓋２が有する排気通路４と本体３が有する排気通路（図示せず）とが連通し、機器として排気通路を形成することができ、排気通路からの結露水の滴下、臭いもれ、排気通路への異物侵入防止ができ、清潔で臭いもれも防ぐことができる。また、このとき反排気通路４側の回動支点６と排気通路４側の回動支点５の結ぶ回動軸は連結している。
【００１９】
図３は本体３が有する排気通路（図示せず）との連結部である排気管８の形状を、鉛直方向に略Ｒ形状に形成したときの蓋回動部の構成図で、蓋２は回動自在である。このとき蓋２の排気通路４側の回動支点５と、その反排気通路側の回動支点６を結ぶ回動軸は対向かつ分離して形成されているので、前記両回動軸の軸心の位置を略一致させるために、部材７を設けることにより回動軸の直線度を出すように構成している。
【００２０】
図４は、図３の略Ｒ形状の排気管８に前記部材７の固定する構成を示したものであり、排気通路４側の回動支点５と、その反排気通路側の回動支点６を結ぶ回動軸を直線に保持し易く回動軸のずれが生じないように、排気管８のストレート部９で固定し、また、回動軸の軸心を略一致させる部材７に排気管８を直線に保持するようＬ字またはコの字形状の保持部１０を設けてある。図４の保持部のＡ−Ａ断面は、図５（ａ）に示すような形状となっておりＬ字で保持するようになっている。
【００２１】
また、より精度の高い軸心の位置決めができるように、図５（ｂ）（ｃ）の断面図に示されるように、回動軸の軸心を略一致させる部材７に当接する部分で、排気管８の形状を一部平面にするようにすることもできる。
【００２２】
なお、本実施例においては、排気通路４は蓋２の回動軸の役割をなすよう構成してあるが、蓋２の回動軸の役割を果たさなくても、回動支持部分に配設してあればよい。
【００２３】
【発明の効果】
以上のように本発明は、清潔で臭いもれのしにくい、より安全性の高い生ごみ処理機を提供することができる。
【図面の簡単な説明】
【図１】本発明の一実施例を示す生ごみ処理機の斜視図
【図２】同生ごみ処理機の蓋回動部の構成図
【図３】同生ごみ処理機の他の蓋回動部の構成図
【図４】図３の拡大図
【図５】（ａ）図４のＡ−Ａ断面図
（ｂ）図４のＡ−Ａ断面図（他の例）
（ｃ）図４のＡ−Ａ断面図（他の例）
【図６】従来の生ごみ処理機の斜視図
【図７】（ａ）同蓋回動部の構成図（蓋閉時）
（ｂ）同蓋回動部の構成図（蓋開時）
【符号の説明】
１  収納部
２  蓋
３  本体
４  排気通路
５  排気通路側の回動支点
６  反排気通路側の回動支点
７  部材
８  排気管
【図１】
2004283649.tif 000003
【図２】
2004283649.tif 000004
【図３】
2004283649.tif 000005
【図４】
2004283649.tif 000006
【図５】
2004283649.tif 000007
【図６】
2004283649.tif 000008
【図７】
2004283649.tif 000009